(57)【特許請求の範囲】
【請求項１】
少なくとも長手方向の伸縮性を備えた第１帯(1)と、少なくとも長手方向に伸縮性を備え、かつその長手方向の一部において第１帯(1)と斜めに交差するように第１帯に固定された、１本のまたは互いに直列に位置する２本の部分帯(2A,2B)からなる第２帯(2)と、第１帯(1)の両端相互及び第２帯(2)の両端相互をそれぞれ係着する係着手段(3,4)及び(5,6)とを備え、前記第１帯を水平に巻いて身体に固定し、前記第２帯の一側を体側の骨盤の下方に巻き他側を反対の体側の骨盤の上を通るように巻いて装着することを特徴とする、腰痛治療ベルト。
【請求項２】
第２帯(2) の第１帯(1) と交差する部分から両側に延びる部分が第１帯(1) と略平行に延びていることを特徴とする、請求項１記載の腰痛治療ベルト。
【請求項３】
第２帯(2) の第１帯(1) と交差する部分から両側に延在する部分が第１帯(1) 側に向けて屈曲していることを特徴とする、請求項１記載の腰痛治療ベルト。
【請求項４】
第１帯(1) と第２帯(2) とが両者の長手中間部において交差していることを特徴とする、請求項１記載の腰痛治療ベルト。
【発明の詳細な説明】
【０００１】
【発明の属する技術分野】
この発明は、腰から骨盤にかけての部分に装着して、坐骨神経痛などによる腰痛を治療するために用いる、骨盤の矯正ないしサポート機能を備えたベルトに関するものである。
【０００２】
【従来の技術】
坐骨神経痛等に起因する腰痛を治療するために、胴から腰にかけての部分に装着するコルセットやサポーターが用いられている。腰痛は脊椎から骨盤にかけての部分にずれや歪みがあるために生ずる場合が多く、また、痛みがこのずれや歪みを助長している場合が多い。上記コルセットやサポーターは、胴から腰にかけての部分を囲繞するように装着して身体を固定することにより、腰痛を解消ないし緩和するものである。
【０００３】
【発明が解決しようとする課題】
しかしコルセットは、剛性のある殻（シェル）で、背骨や骨盤の位置を固定するようにしたものであるから、身体の動きも固定され、日常の動作が不便になる。また個々の患者の体型に合わせて製作する必要があるので、高価である。またサポーターと呼ばれているものは、ある程度の剛性を持たせた幅広ベルト状のもので、身体の動きを制限する機能しか備えていないのが普通であるから、骨のずれや歪みを矯正する作用はほとんど期待できず、腰痛の治療効果もあまり期待できない。
【０００４】
この発明は、構造が簡単で装着が容易であり、かつ日常の身体の動きを妨げることなく、脊椎から骨盤にかけての部分の骨のずれや歪みを矯正して、腰痛を解消ないし緩和することが可能な器具を得ることを課題としている。
【０００５】
【課題を解決するための手段】
この発明の腰痛治療ベルトは、少なくとも長手方向の伸縮性を備えた第１帯１と、少なくとも長手方向に伸縮性を備えかつ、その長手方向の一部において第１帯１と斜めに交差するように第１帯に固定された１本の第２帯２か、または長手方向の一部において第１帯１と斜めに交差するように第１帯に固定された互いに直列に位置する２本の部分帯２Ａ、２Ｂからなる第２帯２と、第１帯１の両端相互及び第２帯２の両端相互をそれぞれ係着する係着手段３、４及び５、６とを備えている。
【０００６】
第２帯２は、単に直線の帯を第１帯１とＸ状に交差させるのではなく、第２帯２の第１帯１と交差する部分から両側に延びる部分が第１帯１と略平行に延びる形状とする（請求項２）か、または第２帯２の第１帯１と交差する部分から両側に延在する部分が第１帯１側に向けて屈曲している形状とする（請求項３）のがより好ましい。
【０００７】
また装着を容易に行うことができる実施形態は、第１帯１と第２帯２とが両者の長手中間部において交差している形状のものである。
【０００８】
この発明の腰痛治療ベルトは、第１帯１を骨盤のあたりに水平に巻いて、両端を係着して身体に固定し、次に第２帯２をその一側が体側の骨盤の下方（大腿骨の大転子部あたり）に巻かれ、他側が反対の体側の骨盤の上を通るように巻いて、所望の強さで伸長した状態でその両端相互を係着する。これにより第２帯２は、左上がりまたは右上がりに斜めになった状態で装着される。
【０００９】
この装着作業の際に第１帯１と第２帯２の端部相互を容易に識別できるようにするために、第１帯１と第２帯２とを異なる色にするか、それぞれの両端に合わせマークとなる識別符号を付けておくのが好ましい。
【００１０】
【作用】
一般に腰痛を訴える人の骨盤は、例えば腰の右側が痛い場合、図９に示すように骨盤１５の右側（図９、１０は人体の背後から見た図である）が下がった状態となっている。そこで図９に示すように、骨盤の上方左側から曲がった背骨１６を真っ直ぐに直すように圧迫力１８を加え、骨盤の右側を持ち上げるような圧迫力１７を加えることで背骨１６と骨盤１５とを図１０に示すような真っ直ぐな位置関係に矯正してやれば、骨のずれないし歪みに起因する腰痛が解消ないし緩和される。
【００１１】
この発明の腰痛治療ベルトは、図７、８に示すように巻回して装着することにより、引っ張った状態で斜めに巻回された第２帯２の収縮力により、身体に図９で説明した圧迫力１７、１８（図７及び８は身体の前から見た図である）が加えられ、腰痛を治療することができる。
【００１２】
【発明の実施の形態】
図１ないし図６はこの発明の実施の形態を示したものである。図１は第１実施例を示したもので、第１帯１と２本の部分帯２Ａ、２Ｂからなる第２帯２とを備えている。第１帯１は、細長い短冊状のゴムシートで、その両端に面ファスナー３、４が一方４を図の手前側に、他方３を図の裏面側にして貼着してある。第１帯１の長さは、両端を打ち合わせた状態で身体の胴部に巻回可能な長さであり、幅は１０ｃｍ程度である。第２帯を形成する部分帯２Ａと２Ｂは、第１帯１と略同幅で、略２分の１長さのゴムシートからなり、それぞれの部分帯の基端側の側辺を第１帯１の中央部の側辺にハトメ７で固定して連結されている。部分帯２Ａ、２Ｂの先端側には、第１帯１と同様な面ファスナー５、６が、一方を図の表側、他方を図の裏側にして貼着されている。部分帯２Ａ、２Ｂの基端側の外側の辺８は、緩い円弧形状となっており、部分帯２Ａ、２Ｂに長手方向の張力が作用したとき、その張力が反対側の部分帯の基端へと導かれるようにしてある。また部分帯２Ａ、２Ｂの先端側は、第１帯１と平行になっており、そのため部分帯２Ａ、２Ｂで形成される第２帯２は、全体として緩いＳ字状をしており、その中央部分において第１帯１と斜めに交差している。
【００１３】
第１帯１及び第２帯２には、帯に通気性を備えるための小さな多数の透孔を設けることができる。またゴムシートでできた帯の両面に吸湿性と伸縮性を備えた布帛を貼着することにより、帯に吸湿性を持たせることができる。またこれらの帯１、２は、ゴム紐などを織り込むことによって、伸縮性を付与した織物、編物または組物によって形成することもできる。第１帯１及び部分帯２Ａ、２Ｂは、それぞれが継目のない１枚の帯である必要はなく、伸縮性や吸湿性あるいは製造上の都合により、同一材質のものをまたは異なる材質のものを繋ぎ合わせて作ることができる。
【００１４】
このように形成した腰痛治療ベルトは、前記作用の項で説明したようにして身体に装着する。より詳しく言えば、第１帯１と第２帯２とが交差する部分を背中の真中に当てて、第１帯１の両端を両手で持って若干引き伸ばした状態で、骨盤のあたりに水平に巻いて、その両端を下腹部のところで打ち合わせて、面ファスナー３、４の係着により固定する。次に第２帯２の両端を両手で持って、体側部において一方の部分帯が第１帯の上方に他方が第１帯の下方で骨盤の下側側部を圧迫するように、所望の強さで引っ張りながら巻きつけ、両端を下腹部で打ち合わせて面ファスナー５、６により被着する。装着したときの第２帯２の傾斜方向を逆にしたいときは、全体を表裏逆にして装着すればよい。
【００１５】
図２は第２実施例を示したもので、第２帯２を緩いＳ字形をした継目のない１本の帯で形成し、その中央部分を第１帯１の中央部分にハトメ７で連結したものである。また図３は幅広いゴムシートに両側から２本の切込線９、１０を入れ、中央部に斜めの段差を設けた切離し線１１で切断していくことによって、第１帯１と第２帯２とが１枚のシートから切り出された一体構造のこの発明のベルトを、材料の無駄を生ずることなく製作することが可能であることを示したものである。図４は図１ないし３に示した平面形状のベルトにおいて、第１帯１と第２帯２を長手方向にずらして連結した構造のものを示した図である。第１帯１と第２帯２とがそれぞれその中央部で連結された図１ないし３のものでは、身体に装着したとき第１帯の両端の打ち合わせ部分と第２帯の両端の打ち合わせ部分とが同一の箇所となり、その部分では４枚のシートが打ち合わされることとなる。第１帯１と第２帯２とを長手方向にずらした図４の形状のものでは、その交差部１３を背中の真中にして装着したとき、第１帯の両端の打ち合わせ部分と第２帯の両端の打ち合わせ部分とが下腹部の左右にずれた位置にすることができる。
【００１６】
図５は第５実施例を示したもので、この第５実施例のものでは、第２帯２は第１帯１との交差部から両側に延びる部分が、第１帯１側に向けて円弧状に屈曲した形状をしている。このように円弧状に屈曲した第２帯２は、ゴムシートをそのような形状に切り抜くことによって形成できることは当然のこととして、第２帯の縦方向に挿通した多数のゴム紐を、帯の幅方向に順次変えていくことにより、編物、織物、組物等によっても製作することが可能である。図５はこのような手段により、円弧状に形成した帯を中央で切断して、一方を表裏逆にして、再度縫着することにより、緩いＳ字状にした第２帯２を直線状の第１帯１に縫着１２して、この発明のベルトを形成した例を示したものである。
【００１７】
なお図１ないし図５では、第１帯１と第２帯２とは、その交差部において連結されているが、図２や図５に示すものにおいて、第１帯１と第２帯２との側辺が平行になった部分の交差部に近い側の部分において（図２、５のａで示す部分）、隣接する側辺相互を縫着ないしハトメ止め等することにより、第１帯１と第２帯２とを連結することもできる。
【００１８】
図６に示した実施例は、真っ直ぐな短冊状の第１帯１と第２帯２とを交差させて縫着することにより、この発明のベルトを形成したものである。このような構造は、特に織物、編物、組物等によってこの発明のベルトを構成する場合に、簡単にかつ安価に製造できるという特徴があるが、身体に装着したときに、図８に１４で示す部分に緩みが生じて身体から浮き上がり、装着感が悪くなるとともに、被服をきたときに体側に不自然な出っ張りができるという欠点がある。この欠点を防止するには、帯の材料特に第２帯の材料として伸縮性の大きなものを用いる。
【００１９】
図１ないし図４に示した実施例において、第２帯２の両側の延在部を第１帯１と平行な方向としているのは、前記図８に１４で示した部分の第２帯の緩みを生じさせないためである。またこの部分の緩みは、図５に示すように、第２帯２を円弧状に屈曲したとき最も生じにくくなり、より良好な装着感が得られる。第１帯１及び第２帯２は、身体に巻きつけて装着するものであるから、身体の線に合わせた曲線形状とするのが最も装着状態が優れているが、コストが高くなり、また材料の無駄が生ずる。第１帯１及び第２帯２の平面形状をどのような形状にするかは、装着性とコストとを勘案して決定すべきものであり、図１ないし図６に記載した形状に限定されるものではない。
【００２０】
【発明の効果】
この発明により、装着が簡単で日常的な身体の動きを妨げることがなく、腰痛の原因となる背骨から骨盤にかけての骨のずれや歪みを矯正することができる器具を得ることが可能で、腰痛を訴える患者に実際に装着して使用した結果も極めて良好であった。なお第２帯の傾斜方向をどの方向にするかは、痛みの方向と必ずしも一致しないので、前述した腰の痛む方向と第２帯の巻き掛け方向とは、あくまでも一般的な例であると理解すべきである。
【図面の簡単な説明】
【図１】第１実施例の平面図
【図２】第２実施例の平面図
【図３】第３実施例の平面図
【図４】第４実施例の平面図
【図５】第５実施例の平面図
【図６】第６実施例の平面図
【図７】装着途中の状態を示す説明図
【図８】装着状態を示す正面図
【図９】背骨と骨盤のずれないし歪みを示す背面図
【図１０】矯正した背骨と骨盤との背面図
【符号の説明】
１  第１帯
２  第２帯
2A  部分帯
2B  部分帯
３  面ファスナー
４  面ファスナー
５  面ファスナー
６  面ファスナー
【図１】
0003836907.tif 000002
【図２】
0003836907.tif 000003
【図３】
0003836907.tif 000004
【図４】
0003836907.tif 000005
【図５】
0003836907.tif 000006
【図６】
0003836907.tif 000007
【図７】
0003836907.tif 000008
【図８】
0003836907.tif 000009
【図９】
0003836907.tif 000010
【図１０】
0003836907.tif 000011